(57)【要約】【課題】ユーザーが鞍マット及び背もたれマットに座ったときに寒さ又は暑さを感じることを防止することができ、ユーザーと鞍マット及び背もたれマットとの間の体圧分布を均一にすることができる風呂椅子を提供する。【解決手段】支持板と、前記支持板の前後方向両側にそれぞれ左右方向を回転軸として回転可能に取り付けられる前方支持バー及び後方支持バーと、前記支持板の上面の前方に取り付けられる固定子とを含むメインフレーム；前記前方支持バーの下面及び後方支持バーの下面にそれぞれ取り付けられる多数のキャスター；及び前記固定子の上面に脱着可能に結合され、内部に特定温度の流体が貯蔵される鞍マットと、前記鞍マットの後面に左右方向を折畳軸として折り曲げられるように連結され、内部が前記鞍マットの内部と連通する背もたれマットと、前記背もたれマットの上面に結合されるヘッドレストとを含むマット部；を含む。【選択図】図１
2018089068.tif 000002
【特許請求の範囲】
【請求項１】
支持板と、前記支持板の前後方向両側にそれぞれ左右方向を回転軸として回転可能に取り付けられる前方支持バー及び後方支持バーと、前記支持板の上面の前方に取り付けられる固定子とを含むメインフレーム；
前記前方支持バーの下面及び後方支持バーの下面にそれぞれ取り付けられる多数のキャスター；及び
前記固定子の上面に脱着可能に結合され、内部に特定温度の流体が貯蔵される鞍マットと、前記鞍マットの後面に左右方向を折畳軸として折り曲げられるように連結され、内部が前記鞍マットの内部と連通する背もたれマットと、前記背もたれマットの上面に結合されるヘッドレストとを含むマット部；を含むことを特徴とする、風呂椅子。
【請求項２】
前記メインフレームは、前記固定子の外周面に沿って円周方向に回転可能に取り付けられる回転バーと、前記回転バーの上面に連結され、前記鞍マットの上側に折り曲げられる折曲バーとをさらに含み、
前記マット部は、前記折曲バーの上端に結合される腕脚兼用マットをさらに含むことを特徴とする、請求項１に記載の風呂椅子。
【請求項３】
前記マット部は、
前記鞍マットの上面に形成される多数の鞍マット突条と、前記背もたれマットの上面に形成される多数の背もたれマット突条と、前記腕脚兼用マットの上面に形成される多数の腕脚兼用マット突条とをさらに含むことを特徴とする、請求項２に記載の風呂椅子。
【請求項４】
前記回転バーは、
洗浄液を噴射するために上面に形成された多数の噴射ホールと、前記多数の噴射ホールと連通し、洗浄液が流入するために下面に形成された流入ホールとをさらに含むことを特徴とする、請求項２に記載の風呂椅子。
【請求項５】
前記鞍マットは、
前記噴射ホールから噴射された洗浄液が通過するために前面に形成された通過ホールをさらに含むことを特徴とする、請求項４に記載の風呂椅子。
【請求項６】
前記風呂椅子は、
前記後方支持バーの下面に取り付けられたキャスターの制動のために、前記後方支持バーの下面に取り付けられたキャスターの周りに取り付けられるブレーキ；をさらに含むことを特徴とする、請求項１に記載の風呂椅子。
【発明の詳細な説明】
【技術分野】
【０００１】
本発明は、お年寄り、患者や障害者などのように挙動の不便な人の湯浴みを助けるための風呂椅子に関する。
【背景技術】
【０００２】
一般に、お年寄り、患者や障害者などのように挙動の不便な人は身体の挙動が不便であるため、自らお風呂に入ることは不可能であり、他人の助けによってお風呂に入ることができる。
【０００３】
しかし、挙動の不便な人が他人の助けによってお風呂に入ると言っても、挙動の不便な人を風呂場の底や浴槽に固定しにくく、障害者の場合には、障害程度によって障害者を浴槽内に投入することも不可能であり得る。
【０００４】
従来技術の大韓民国特許登録第１１４０３６４号は、障害者又はお年寄りが座る鞍マットと前記鞍マットに連結され、障害者又はお年寄りの背中を支持する背もたれマットとを含み、水が排出される開口部が形成され、障害者又はお年寄りの頭部が位置する領域に対応して溝が形成された本体部；前記本体部の両端に突設された安全ガード；前記本体部の鞍マットに障害者又はお年寄りの脚を固定するように形成された安全ベルト；及び介護者によって握られるように前記本体部の背もたれマットから突出する取っ手；を含む障害者又はお年寄りのための風呂椅子を提示した。
【０００５】
ここで、従来技術は挙動の不便な人を風呂場の底や浴槽に固定することができるようにする風呂椅子を提示することにより、挙動の不便な人を風呂椅子に固定して湯浴みができるようにした。
【０００６】
しかし、従来技術は、鞍マットが周辺気温によって人体の体温とは違う温度で維持されるため、挙動の不便な人が鞍マットに座る場合、寒さ又は暑さを感じることになる問題点がある。
【発明の概要】
【発明が解決しようとする課題】
【０００７】
したがって、本発明は前述したような問題点を解決するためになされたもので、本発明の目的は、ユーザーが鞍マット及び背もたれマットに座ったときに寒さ又は暑さを感じることを防止することができ、ユーザーと鞍マット及び背もたれマットとの間の体圧分布を均一にすることができる風呂椅子を提供することである。
【０００８】
また、本発明の他の目的は、ユーザーを横たえることができるベッドとしても活用することができ、ユーザーを横たえた状態でもバスルームの外部からバスルームの内部に簡便に移動させることができる風呂椅子を提供することである。
【０００９】
また、本発明のさらに他の目的は、保管空間を最小化することができる風呂椅子を提供することである。
【課題を解決するための手段】
【００１０】
本発明による風呂椅子は、支持板と、前記支持板の前後方向両側にそれぞれ左右方向を回転軸として回転可能に取り付けられる前方支持バー及び後方支持バーと、前記支持板の上面の前方に取り付けられる固定子とを含むメインフレーム；前記前方支持バーの下面及び後方支持バーの下面にそれぞれ取り付けられる多数のキャスター；及び前記固定子の上面に脱着可能に結合され、内部に特定温度の流体が貯蔵される鞍マットと、前記鞍マットの後面に左右方向を折畳軸として折り曲げられるように連結され、内部が前記鞍マットの内部と連通する背もたれマットと、前記背もたれマットの上面に結合されるヘッドレストとを含むマット部；を含むことを特徴とする。
【００１１】
前記メインフレームは、前記固定子の外周面に沿って円周方向に回転可能に取り付けられる回転バーと、前記回転バーの上面に連結され、前記鞍マットの上側に折り曲げられる折曲バーとをさらに含むことができ、前記マット部は、前記折曲バーの上端に結合される腕脚兼用マットをさらに含むことができる。
【００１２】
また、前記マット部は、前記鞍マットの上面に形成される多数の鞍マット突条と、前記背もたれマットの上面に形成される多数の背もたれマット突条と、前記腕脚兼用マットの上面に形成される多数の腕脚兼用マット突条とをさらに含むことができる。
【００１３】
前記回転バーは、洗浄液を噴射するために上面に形成された多数の噴射ホールと、前記多数の噴射ホールと連通し、洗浄液が流入するために下面に形成された流入ホールとをさらに含むことができる。
【００１４】
また、前記鞍マットは、前記噴射ホールから噴射された洗浄液が通過するために前面に形成された通過ホールをさらに含むことができる。
【００１５】
また、前記風呂椅子は、前記後方支持バーの下面に取り付けられたキャスターの制動のために、前記後方支持バーの下面に取り付けられたキャスターの周りに取り付けられるブレーキ；をさらに含むことができる。
【発明の効果】
【００１６】
したがって、本発明による風呂椅子は、鞍マット及び背もたれマットの内部に特定温度の流体が注入されているので、ユーザーが鞍マット及び背もたれマットに座ったときに寒さ又は暑さを感じることを防止することができ、ユーザーと鞍マット及び背もたれマットとの間の体圧分布を均一にすることができる利点がある。
【００１７】
また、本発明による風呂椅子は、互いに水平に折り畳み可能な鞍マット及び背もたれマットを用いてユーザーを横たえることができるベッドとしても活用することができ、ユーザーを横たえた状態でもユーザー又は第３者が風呂椅子を特定の空間に容易に移動させることができる移動手段を提供する利点がある。
【００１８】
また、本発明による風呂椅子は、メインフレームの前方支持バー及び後方支持バーがそれぞれ左右方向に回転軸を中心に回転して上下方向に垂直に配置され、鞍マット及び背もたれマットが上下方向に垂直に折り畳まれるので、全体的な保管空間を最小化することができる。
【図面の簡単な説明】
【００１９】
【図１】本発明による風呂椅子にユーザーを座らせることができる状態を示した斜視図である。
【図２】本発明による鞍マット、背もたれマット及び回転バーを示した概略図である。
【図３】本発明による鞍マット及び背もたれマットの内部を表示した概略図である。
【図４】本発明による風呂椅子にユーザーを横たえることができる状態を示した他の斜視図である。
【図５】本発明による回転バー及び周辺の構成を示した拡大図である。
【図６】本発明による風呂椅子の保管時の状態を示した概略図である。
【図７】本発明による風呂椅子の鞍マットに形成された流入口を示した概略図である。
【発明を実施するための形態】
【００２０】
以下、本発明の技術的思想を添付図面に基づいてより具体的に説明する。
【００２１】
添付図面は本発明の技術的思想をより具体的に説明するために示す一例に過ぎないので、本発明の技術的思想が添付図面の形態に限定されるものではない。
【００２２】
図１は本発明による風呂椅子にユーザーを座らせることができる状態を示した斜視図、図２は本発明による鞍マット、背もたれマット及び回転バーを示した概略図、図３は本発明による鞍マット及び背もたれマットの内部を表示した概略図、図４は本発明による風呂椅子にユーザーを横たえることができる状態を示した他の斜視図である。
【００２３】
図１に示したように、本発明による風呂椅子１０００は、メインフレーム１００、キャスター２００及びマット部３００を含む。
【００２４】
前記メインフレーム１００は、支持板１１０、前方支持バー１２０、後方支持バー１３０及び固定子１３５を含む。
【００２５】
前記支持板１１０は前記メインフレーム１００の基本構造で、平板構造に形成されることができる。
【００２６】
前記前方支持バー１２０及び後方支持バー１３０は前記支持板１１０の前後方向の両側にそれぞれ左右方向を回転軸として回転可能に取り付けられる。この際、図１には前記前方支持バー１２０及び後方支持バー１３０が一対でなる一例が示されているが、本発明はこれに限定されない。
【００２７】
前記固定子１３５は前記支持板１１０の上面の前方に取り付けられ、より詳しくは前記支持板１１０の上面の前方に固定される。
【００２８】
前記多数のキャスター２００は前記前方支持バー１２０の下面及び後方支持バー１３０の下面にそれぞれ取り付けられる。この際、前記多数のキャスター２００は前記前方支持バー１２０の下面及び後方支持バー１３０の下面にそれぞれ上下方向に回転軸を中心に回転できるように取り付けられることができる。
【００２９】
前記マット部３００はユーザーを座らせるとか横たえるとかすることができるもので、鞍マット３１０、背もたれマット３２０及びヘッドレスト３３０を含む。
【００３０】
図２及び図３に示したように、前記鞍マット３１０はユーザーの尻部が着座されるもので、前記固定子１３５の上面に脱着可能に結合され、内部に特定温度の流体が入っている。この際、前記特定温度の流体は１０度〜２５度の冷水、３７度〜４０度の温水、３０度〜３６度の微温水であってもよい。また、前記鞍マット３１０は前記固定子１３５の上側に別個のブラケット（図示せず）又はフランジ（図示せず）を介して結合されることができる。
【００３１】
前記背もたれマット３２０はユーザーの背中がもたせかけられるもので、前記鞍マット３１０の後面に左右方向を折畳軸として折り畳まれるように連結され、内部が前記鞍マット３１０の内部と連通し、前記鞍マット３１０から移送された温水が流入する。
【００３２】
一方、前記鞍マット３１０及び背もたれマット３２０は内面にスポンジが取り付けられることができる。
【００３３】
前記ヘッドレスト３３０はユーザーの頭部がもたせかけられるもので、前記背もたれマット３０の上面に結合される。
【００３４】
したがって、本発明による風呂椅子は鞍マット及び背もたれマットの内部に特定温度の流体が注入されてあるので、ユーザーが鞍マット及び背もたれマットに座ったときに寒さ又は暑さを感じることを防止することができ、ユーザーと鞍マット及び背もたれマットの間の体圧分布を均一にすることができる利点がある。
【００３５】
また、本発明による風呂椅子は互いに水平に折り畳み可能な鞍マット及び背もたれマットを用いてユーザーを横たえることができるベッドとしても活用することができ、ユーザーを横たえた状態でもユーザー又は第３者が風呂椅子を特定の空間に容易に移動させることができる移動手段を提供する利点がある。
【００３６】
また、本発明による風呂椅子は、メインフレームの前方支持バー及び後方支持バーがそれぞれ左右方向を回転軸として回転して上下方向に垂直に配置され、鞍マット及び背もたれマットが上下方向に垂直に折り畳まれるので、全体的な保管空間を最小化することができる。
【００３７】
図４に示したように、前記メインフレーム１００は、前記固定子１３５の外周面に沿って円周方向に回転可能に取り付けられる回転バー１４０と、前記回転バー１４０の上面に連結され、前記鞍マット３１０の上側に折り曲げられる折曲バー１５０とをさらに含むことができる。
【００３８】
前記回転バー１４０は、一端が前記固定子１３５の外周面を取り囲み、他端が前記固定子１３５の外部に突出する。
【００３９】
前記折曲バー１５０は、一端が前記回転バー１４０の上面に連結され、他端が前記鞍マット３１０の周囲外部を通過して前記固定子１３５の外部に突出する。
【００４０】
また、前記マット部３００は、前記折曲バー１５０の上端に結合される腕脚兼用マット３４０をさらに含むことができる。
【００４１】
前記腕脚兼用マット３４０は前記折曲バー１５０の上端に結合される。
【００４２】
この際、前記腕脚兼用マット３４０は前記回転バー１４０及び折曲バー１５０と一緒に円周方向に回転して前記固定子１３５の前方に配置されれば脚マットとして用いることができ、また前記回転バー１４０及び折曲バー１５０と一緒に円周方向に回転して前記固定子１３５の左方又は右方に配置されれば腕マットとして用いることができる。
【００４３】
したがって、本発明による風呂椅子１０００は、前記腕脚兼用マット３４０をユーザーの脚マットとユーザーの腕マットの兼用で用いることができる利点がある。
【００４４】
また、前記マット部３００は、ユーザーに指圧効果を与えるためのものとして、前記鞍マット３１０の上面に前後方向に配列される多数の鞍マット突条３１１と、前記背もたれマット３２０の上面に前後方向に配列される多数の背もたれマット突条３２１と、前記腕脚兼用マット３４０の上面に前後方向に配列される多数の腕脚兼用マット突条３４１とをさらに含むことができる。
【００４５】
一方、前記風呂椅子１０００は、前記後方支持バー１３０の下面に取り付けられたキャスター２００の制動のために前記後方支持バー１３０の下面に取り付けられているキャスター２００の周りに取り付けられるブレーキ４００をさらに含むことができる。
【００４６】
前記ブレーキ４００は、下方に押されれば前記後方支持バー１３０の下面に取り付けられているキャスター２００の回動軸を押し付けることによってキャスター２００を制動することができるが、本発明はこれに限定されない。
【００４７】
また、前記風呂椅子１０００は、ユーザーが手で握ることができるように、前記鞍マット３１０と背もたれマット３２０の左右両端にそれぞれ取り付けられる多数の取っ手５００をさらに含むことができる。
【００４８】
この際、前記多数の取っ手５００は前記鞍マット３１０及び背もたれマット３２０の左右両端にそれぞれ貫通して挿入されることができる。
【００４９】
図５は本発明による回転バー及び周辺構成を示した拡大図である。
【００５０】
図５に示したように、前記回転バー１４０は上面に洗浄液を噴射するための多数の噴射ホール１４１がさらに形成され、下面に前記多数の噴射ホール１４１と連通して洗浄液が流入するための流入ホール１４２がさらに形成される。
【００５１】
前記多数の噴射ホール１４１は前記回転バー１４０の上面に格子状に配列されることができる。
【００５２】
前記流入ホール１４２には洗浄液貯蔵タンク（図示せず）から移送された洗浄液が別個のポンプ（図示せず）によって流入することができる。
【００５３】
また、前記鞍マット３１０は、前記噴射ホール１４１から噴射された洗浄液が通過するための通過ホール３１２が前面にさらに形成されることができる。この際、前記鞍マット３１０にユーザーが座れば、ユーザーの肛門部位が前記通過ホール３１２に露出し、前記噴射ホール１４１から噴射された洗浄液が前記通過ホール３１２を通過してユーザーの肛門周辺を容易に洗浄することができる。
【００５４】
図６は本発明による風呂椅子の保管時の状態を示した概略図である。
【００５５】
図６に示したように、本発明による風呂椅子１０００は、前記メインフレーム１００の前方支持バー１２０及び後方支持バー１３０がそれぞれ左右方向を回転軸として回転して上下方向に配置され、前記鞍マット３１０及び背もたれマット３２０が上下方向に垂直に折り曲げられるので、全体的な保管空間を最小化することができる。
【００５６】
図７は本発明による風呂椅子の鞍マットに形成された流入口を示した概略図である。
【００５７】
図７に示したように、本発明による風呂椅子１０００の鞍マット３１０は、流体が流入することができる流入口３１５が下面にさらに形成されることができる。
【００５８】
本発明は前述した実施例に限定されなく、適用範囲が多様であるのは言うまでもなく、請求範囲で請求する本発明の要旨を逸脱しない範疇内で多様な変形実施が可能であるのは言うまでもない。
【符号の説明】
【００５９】
１０００    風呂椅子
１００    メインフレーム
１１０    支持板
１２０    前方支持バー
１３０    後方支持バー
１３５    固定子
１４０    回転バー
１４１    噴射ホール
１４２    流入ホール
１５０    折曲バー
２００    キャスター
３００    マット部
３１０    鞍マット
３１１    鞍マット突条
３１２    通過ホール
３１５    流入口
３２０    背もたれマット
３２１    背もたれマット突条
３３０    ヘッドレスト
３４０    腕脚兼用マット
３４１    腕脚兼用マット突条
４００    ブレーキ
５００    取っ手
【図１】
2018089068.tif 000003
【図２】
2018089068.tif 000004
【図３】
2018089068.tif 000005
【図４】
2018089068.tif 000006
【図５】
2018089068.tif 000007
【図６】
2018089068.tif 000008
【図７】
2018089068.tif 000009